(57)【要約】  異なる場所Ｌ１−Ｌ３のオブジェクトへのアクセス可能性を管理するために設けられたシステムＳであって、ｉ）場所Ｌ１−Ｌ３のそれぞれに関連付けられた、そして、それらのオブジェクトのデジタル画像をそれぞれ記憶する分散管理設備ＥＧＤ１−ＥＧＤ３、それらの可用性の状態、それらの使用を定義した規則、対応するオブジェクトのアクセス可能性の状態、および対応するオブジェクトの使用を定義する規則を表す情報に一致する関連する場所に置かれたオブジェクトのデジタル画像の記憶を制御し、それらの関連する場所の少なくとも１つのオブジェクトまたはオブジェクトの１つの画像へのアクセスの要求を生成する役割をそれぞれ負う、分散管理設備ＥＧＤ１−ＥＧＤ３と、ｉｉ）それが関連付けられた場所Ｌ１の所与のオブジェクトまたはオブジェクトの所与の画像へのアクセスを求める分散管理設備ＥＧＤ１からの要求を受信する場合に、この場所Ｌ１でそのアクセス可能性または可用性の状態がそれを許すときおよびその要求がそれに関連付けられた使用の規則に準拠するときにこの場所Ｌ１でそれへのアクセスを許可するように、この所与のオブジェクトにまたはオブジェクトのこの所与の画像に関連付けられた情報にアクセスする役割を負う、集中管理設備ＥＧＣとを備えるシステムＳ。
2011519081.tif 000002
【特許請求の範囲】
【請求項１】
異なる場所（Ｌｉ）のオブジェクトのアクセス可能性を管理するための方法であって、ｉ）前記オブジェクトのデジタル画像を生成し、記憶すること、ｉｉ）各画像をそれが記憶されている場所、その可用性の状態、およびその使用を定義する規則と、対応するオブジェクトが置かれている場所（Ｌｉ）と、対応するオブジェクトのアクセス可能性の状態、および対応するオブジェクトの使用を定義する規則とを表す情報に関連付けること、ならびにｉｉｉ）所与の場所（Ｌｉ）において、そのアクセス可能性または可用性の状態がその所与の場所でこれを許すときおよび関連使用規則が準拠される場合に、少なくとも１つのオブジェクトおよび／または１つの画像へのアクセスを許可することから構成される、方法。
【請求項２】
異なる場所（Ｌｉ）のオブジェクトへのアクセス可能性を管理するためのシステム（Ｓ）であって、ｉ）該オブジェクトのデジタル画像をそれぞれ記憶する分散管理装置（ＥＧＤｉ）、それらの可用性の状態、それらの使用を定義する規則、対応するオブジェクトのアクセス可能性の状態、および対応するオブジェクトの使用を定義する規則を表す情報に一致する、それらの関連する場所（Ｌｉ）に置かれたオブジェクトのデジタル画像の記憶をチェックする役割をそれぞれが第１に負い、それらの関連する場所（Ｌｉ）の少なくとも１つのオブジェクトまたはオブジェクト画像へのアクセスの要求を生成する役割を第２に負う、それぞれ場所（Ｌｉ）に関連付けられた、通信ネットワーク（ＲＣ）に結合された、分散管理装置（ＥＧＤｉ）と、ｉｉ）それが関連付けられている場所（Ｌｉ）の所与のオブジェクトまたはオブジェクト画像へのアクセスの要求をそれが分散管理装置（ＥＧＤｉ）から受信するときには必ず、そのアクセス可能性または可用性の状態がその所与の場所（Ｌｉ）においてこれを許すときおよびその要求が関連使用規則に準拠する場合に、指定された場所（Ｌｉ）においてそれがアクセスされることができるようにするために、その所与のオブジェクトまたはオブジェクト画像に関連付けられた情報にアクセスする役割を負う、通信ネットワーク（ＲＣ）に結合された、集中管理装置（ＥＧＣ）とを備えることを特徴とする、システム（Ｓ）。
【請求項３】
前記分散管理装置（ＥＧＤｉ）のうちの少なくともいくつかが、関連情報と一致する、それらに関連付けられた場所（Ｌｉ）に置かれたオブジェクトのデジタル画像を記憶する能力のある第１の記憶手段（ＭＳ１）を備えることを特徴とする、請求項２に記載のシステム。
【請求項４】
分散管理装置（ＥＧＤｉ）のうちの少なくともいくつかが、それらに関連付けられていない場所（Ｌｉ’）に置かれた、それらがアクセス許可を取得したデジタルオブジェクト画像を記憶する能力のある第２の記憶手段（ＭＳ２）を備えることを特徴とする、請求項２および３に記載のシステム。
【請求項５】
分散管理装置（ＥＧＤｉ）のうちの少なくともいくつかが、関連情報に一致するそれらの場所（Ｌｉ）に置かれたオブジェクトのデジタル画像の、第１の記憶手段（ＭＳ１）内の、記憶をチェックする役割、およびそれらの関連する場所（Ｌｉ）内の少なくとも１つのオブジェクトまたはオブジェクト画像へのアクセスの要求を生成し、そして／またはそれらに関連付けられていない場所（Ｌｉ’）に置かれた、それらがアクセス許可を取得したデジタルオブジェクト画像をそれらの第２の記憶手段（ＭＳ２）内に記憶する役割を負う、管理手段（ＭＧ）を備えることを特徴とする、請求項３から４のいずれか一項に記載のシステム。
【請求項６】
前記分散管理装置（ＥＧＤｉ）のうちの少なくとも１つが、少なくとも１つの仮想世界に関連付けられ、前記仮想世界との相互運用性を可能にするように構成された適合手段（ＭＡ）を備えることを特徴とする、請求項２から５のいずれか一項に記載のシステム。
【請求項７】
前記集中管理装置（ＥＧＣ）が、前記オブジェクト画像に関連付けられた前記情報を記憶する能力をもつことを特徴とする、請求項２から６のいずれか一項に記載のシステム。
【請求項８】
前記集中管理装置（ＥＧＣ）が、オブジェクト画像に関連付けられた、それらの可用性の状態および対応するオブジェクトのそれぞれのアクセス可能性の状態を表す前記情報を記憶する能力のある第１のサーバ（Ｓｉ）を備えることを特徴とする、請求項７に記載のシステム。
【請求項９】
前記集中管理装置（ＥＧＣ）が、オブジェクト画像に関連付けられた、それらをそれぞれ記憶する分散管理装置（ＥＧＤｉ）および対応するオブジェクトがそれぞれ置かれている場所（Ｌｉ）を表す情報を記憶する能力のある第２のサーバ（Ｓ２）を備えることを特徴とする、請求項７から８のいずれか一項に記載のシステム。
【請求項１０】
前記集中管理装置（ＥＧＣ）が、オブジェクト画像に関連付けられた、それらの使用を定義する規則および対応するオブジェクトのそれぞれの使用を定義する規則を表す情報を記憶する能力のある第３のサーバ（Ｓ３）を備えることを特徴とする、請求項７から９のいずれか一項に記載のシステム。
【請求項１１】
前記集中管理装置（ＥＧＣ）が、第１のサーバ（Ｓ１）および／または第２のサーバ（Ｓ２）および／または第３のサーバ（Ｓ３）に情報を供給する役割を負い、そして、それが関連付けられている場所（Ｌｉ）内の所与のオブジェクトまたはオブジェクト画像へのアクセスの要求が分散管理装置（ＥＧＤｉ）から受信された場合に、そのアクセス可能性または可用性の状態がこれをその所与の場所（Ｌｉ）で許すとき、およびその要求が関連使用規則に準拠する場合に、指定された場所（Ｌｉ）でそれがアクセスされることができるようにするために、その所与のオブジェクトまたはオブジェクト画像に関連付けられた、第１のサーバ（Ｓ１）および／または第２のサーバ（Ｓ２）および／または第３のサーバ（Ｓ３）内に記憶された情報にアクセスする役割を負う、管理手段（ＭＧ’）を備えることを特徴とする、請求項７から１０のいずれか一項に記載のシステム。
【請求項１２】
前記管理手段（ＭＧ’）が、それらの関連する場所（Ｌｉ）とは異なる場所（Ｌｉ’）に置かれた新しいオブジェクト、または別の分散管理装置（ＥＧＤｉ’）に記憶された新しいオブジェクト画像が検出された場合に、分散管理装置（ＥＧＤｉ）のうちの少なくともいくつかに通知する役割を負うことができることを特徴とする、請求項１１に記載のシステム。
【発明の詳細な説明】
【技術分野】
【０００１】
本発明は、実または仮想オブジェクトへのアクセス可能性の分野に関する。
【０００２】
すべてのタイプのオブジェクト、特に手工芸品、本、および、生産物、植物、装置、または商店もしくは小売店で販売されるアイテムが、本発明に関係する。
【背景技術】
【０００３】
ある人が所与のタイプのオブジェクトが展示および／または販売されることができる場所にいるときには必ず、これらのオブジェクトのうちのいくつかがそこにないことがしばしば起こる。たとえば、ある人が通常は美術館または画廊に展示されている画家の作品を見たいと思うことがあるが、彼／彼女がその美術館または画廊に行くと、彼／彼女は１つまたは複数の作品が、たとえば貸し出されているまたは倉庫に保管されているために、一時的にないことに気が付く。別の例では、通常は所与の店で売られている所与のブランドの靴のモデルを見たいとある人が思うことがあるが、彼／彼女がその店に行くと、彼／彼女はその所与のブランドの１つまたは複数のモデル（あるいは１つのモデルの１つまたは複数の色）がそこでは売っていないことに気が付く。
【０００４】
一般に、あるコレクションまたはセットの部分を形成するすべてのオブジェクトを任意の所与の場所に所与の時間に集めることは、しばしば困難であり、あるいは不可能でさえある。
【０００５】
「拡張現実」として知られる、いくつかの解決法が、実世界と仮想世界とを融合させることを可能にするために提案されている。
【０００６】
これは、特に、可視および不可視のリスク（または危険）をそれらに関する情報と組み合わせて展示するための、特許ＷＯ０３／０６０８３０で提案された解決法に当てはまる。この解決法の欠点は、それが異なる場所に分散された実および仮想オブジェクトを共用および収集するのには適さないこと、ならびにそれがオブジェクトのいずれの使用権（具体的には、ＤＲＭ（「デジタル著作権管理」））も考慮していないことである。
【０００７】
これはまた、Ｓｃｈｍａｌｓｔｅｉｇ他、「Ｍａｎａｇｉｎｇ  ｃｏｍｐｌｅｘ  ａｕｇｍｅｎｔｅｄ  ｒｅａｌｉｔｙ  ｍｏｄｅｌｓ」、２００７年７月／８月、ＩＥＥＥ  Ｃｏｍｐｕｔｅｒ  Ｇｒａｐｈｉｃｓ  ａｎｄ  Ａｐｐｌｉｃａｔｉｏｎｓ  Ｊｏｕｒｎａｌ、３２−４１頁に記載されている解決法にも当てはまる。この解決法は、より具体的には、モデルが拡張現実で記憶される集中データベースを提案する。しかし、このタイプの集中データベースは、異なる場所にいる複数の利害関係者が実時間で拡張現実でモデルを共用し、アセンブルする必要がある状況（最も多い状況）には適していない。この不適切性は、特に、これらの集中データベースおよびそれらが接続されている通信ネットワークが遭遇する容量および性能の問題、ならびに導入されるデータ伝送の遅れに起因する。
【先行技術文献】
【特許文献】
【０００８】
【特許文献１】国際公開第０３／０６０８３０号パンフレット
【非特許文献】
【０００９】
【非特許文献１】Ｓｃｈｍａｌｓｔｅｉｇ他、「Ｍａｎａｇｉｎｇ  ｃｏｍｐｌｅｘ  ａｕｇｍｅｎｔｅｄ  ｒｅａｌｉｔｙ  ｍｏｄｅｌｓ」、２００７年７月／８月、ＩＥＥＥ  Ｃｏｍｐｕｔｅｒ  Ｇｒａｐｈｉｃｓ  ａｎｄ  Ａｐｐｌｉｃａｔｉｏｎｓ  Ｊｏｕｒｎａｌ、３２−４１頁
【発明の概要】
【発明が解決しようとする課題】
【００１０】
本発明の目的は、したがって、この状況を改善することである。
【課題を解決するための手段】
【００１１】
そのために、本発明は、異なる場所のオブジェクトのアクセス可能性を管理するための方法を提案し、その方法は以下で構成される：
−  これらのオブジェクトのデジタル画像を生成し、記憶すること、
−  各デジタル画像を、それが記憶されている場所、その可用性の状態、その使用を定義する規則、対応するオブジェクトが置かれている場所、対応するオブジェクトのアクセス可能性の状態、および対応するオブジェクトの使用を定義する規則を表す情報に関連付けること、
−  その所与の場所で、そのアクセス可能性または可用性の状態が所与の場所においてこれを許すときおよび関連使用規則が準拠される場合に、少なくとも１つのオブジェクトおよび／または１つの画像へのアクセスを許可すること。
【００１２】
本発明はまた、異なる場所のオブジェクトのアクセス可能性を管理するためのシステムも提案し、そのシステムは以下を備える：
−  該オブジェクトのデジタル画像をそれぞれ記憶する分散管理装置、それらの可用性の状態、それらの使用を定義する規則、対応するオブジェクトのアクセス可能性の状態、および対応するオブジェクトの使用を定義する規則を表す情報に一致する、それらの関連する場所に置かれたオブジェクトのデジタル画像の記憶をチェックする役割をそれぞれが第１に負い、それらの関連する場所の少なくとも１つのオブジェクトまたはオブジェクト画像へのアクセスの要求を生成する役割を第２に負う、それぞれ場所に関連付けられた、通信ネットワークに結合された、分散管理装置、
−  それが関連付けられている場所の所与のオブジェクトまたはオブジェクト画像へのアクセスの要求をそれが分散管理装置から受信するときには必ず、そのアクセス可能性または可用性の状態がその所与の場所においてこれを許すときおよびその要求が関連使用規則に準拠する場合に、指定された場所においてそれがアクセスされることができるように可能にするために、その所与のオブジェクトまたはオブジェクト画像に関連付けられた情報にアクセスする役割を負う、通信ネットワークに結合された集中管理装置。
【００１３】
本発明のシステムは、別個にまたは組み合わせて利用されることができる、他の特徴を備えることができる。具体的には：
−  分散管理装置のうちの少なくともいくつかが、関連情報と一致する、それらに関連付けられた場所に置かれたオブジェクトのデジタル画像を記憶する能力のある第１の記憶手段を備えることができる、
−  分散管理装置のうちの少なくともいくつかが、それらに関連付けられていない場所に置かれた、それらがアクセス許可を取得したデジタルオブジェクト画像を記憶する能力のある第２の記憶手段を備えることができる、
−  分散管理装置のうちの少なくともいくつかが、関連情報に一致するそれらの場所に置かれたオブジェクトのデジタル画像の、第１の記憶手段内の、記憶をチェックする役割、およびそれらの関連する場所内の少なくとも１つのオブジェクトまたはオブジェクト画像へのアクセスの要求を生成し、そして／または、それらに関連付けられていない場所に置かれた、それらがアクセス許可を取得したデジタルオブジェクト画像をそれらの第２の記憶手段内に記憶する役割を負う管理手段を備えることができる、
−  分散管理装置のうちの少なくとも１つが、少なくとも１つの仮想世界に関連付けられることができ、その仮想世界との相互運用性を可能にする役割を負う適合手段を備えることができる、
−  集中管理装置が、オブジェクト画像に関連付けられた情報を記憶する能力をもつことができる、
集中管理装置は、オブジェクト画像に関連付けられた、それらの可用性の状態および対応するオブジェクトのそれぞれのアクセス可能性の状態を表す情報を記憶する能力のある第１のサーバを備えることができる、
集中管理装置は、オブジェクト画像に関連付けられた、それらをそれぞれ記憶する分散管理装置および対応するオブジェクトがそれぞれ置かれている場所を表す情報を記憶する能力のある第２のサーバを備えることができる、
集中管理装置は、オブジェクト画像に関連付けられた、それらの使用を定義する規則および対応するオブジェクトのそれぞれの使用を定義する規則を表す情報を記憶する能力のある第３のサーバを備えることができる、
集中管理装置は、第１のサーバおよび／または第２のサーバおよび／または第３のサーバに情報を供給する役割を負い、そして、それが関連付けられている場所内の所与のオブジェクトまたはオブジェクト画像へのアクセスの要求が分散管理装置から受信された場合に、そのアクセス可能性または可用性の状態がこれをその所与の場所で許すとき、およびその要求が関連使用規則に準拠する場合に、指定された場所でそれがアクセスされることができるようにするために、その所与のオブジェクトまたはオブジェクト画像に関連付けられた、第１のサーバおよび／または第２のサーバおよび／または第３のサーバ内に記憶された情報にアクセスする役割を負う、管理手段を備えることができる、
・管理手段は、それらの関連する場所とは異なる場所に置かれた新しいオブジェクト、または別の分散管理装置に記憶された新しいオブジェクト画像が検出された場合に、分散管理装置のうちの少なくともいくつかに通知する役割を負うことができる。
【００１４】
本発明の他の特徴および利点は、以下の詳細な説明、および唯一の図面で本発明のアクセス可能性管理システムの一例を概略的および機能的に示す添付の図面を検討することにより明らかとなろう。図面は、本発明を完成させるためだけでなく、必要があれば、本発明の定義に寄与するために役立つことができる。
【００１５】
本発明の目的は、異なる場所の実および仮想オブジェクトを、制御された方法で、収集および共用することを可能にする、アクセス可能性管理方法および関連システムを提案することである。アクセス可能性の概念は、本明細書において、共用、可用性、および存在の概念を含む。
【図面の簡単な説明】
【００１６】
【図１】本発明のアクセス可能性管理システムの一例を概略的および機能的に示す図である。
【発明を実施するための形態】
【００１７】
唯一の図に示すように、本発明の実装は、実ＯＲｊまたは仮想であるオブジェクトが記憶されている場所Ｌｉの存在を必要とする。
【００１８】
本明細書において、単語の「場所」は、少なくとも１つのタイプのオブジェクトが展示および／または販売されることができる所を指す。それらは、したがって、たとえば、美術館もしくは画廊、または商店、ブティック、もしくは小売店、またはウェブサイト（もしくは同様のサイト）などの、展示場所またはサイトでもよい。したがって、場所は、実または仮想のサイト（たとえば、ウェブサイトまたは仮想世界）でもよい。
【００１９】
唯一の図には、４つのサイトＬ１からＬ４（ｉ＝１から４）が図示されている。しかし、本発明は、少なくとも２つの異なる場所Ｌｉがあれば、すぐに適用される。
【００２０】
さらに、本明細書において、単語の「オブジェクト」は、場所Ｌｉで展示および／または販売されることができるいかなるものも指す。それらは、したがって、たとえば、手工芸品（絵画、版画、彫刻、リトグラフ、写真、または織物、ガラス、磁器もしくは陶製の作品など）、本、または生産物もしくは植物もしくは装置もしくはアイテムでもよい。
【００２１】
本発明の管理方法は、３つの主要なステップを備える。
【００２２】
第１の主要なステップは、関係する場所Ｌｉのそれぞれに置かれたオブジェクトＯＲｊのデジタル画像Ｉｊを生成し、記憶することで構成される。デジタル画像Ｉｊが撮影されるオブジェクトＯＲｊは、優先的に実であることに留意されたい。しかし、それらはコンピュータを使用して設計された仮想オブジェクトでもよい。
【００２３】
以下では、場所Ｌ１からＬ３が、絵画などの芸術家の作品が展示されている３つの美術館であると仮定する。デジタル画像が撮影されたオブジェクトは、したがって、実（ＯＲｊ）である。唯一の図に同様に示された、第４の場所Ｌ４は、実または仮想オブジェクトの画像Ｉｋにアクセスすることを可能にするウェブサイトである。
【００２４】
本発明の方法の第２の主要なステップは、それぞれのデジタル化された画像Ｉｊを以下を表す情報に関連付けることで構成される：
−  それが記憶されている場所、
−  可用性の状態（使用可能、使用不可能、一時的に使用可能、一時的に使用不可能など）、
−  著作権（もしくはＤＲＭ）、共用ポリシー、使用および／または展示の条件、安全規則、取引条件などのその使用を定義する規則、
−  対応する実ＯＲｊまたは仮想オブジェクトが置かれている場所Ｌｉ、
−  対応する実ＯＲｊまたは仮想オブジェクトのアクセス可能性の状態（使用可能、使用不可能、一時的に使用可能、一時的に使用不可能、復元されているなど）、
−  著作権（もしくはＤＲＭ）、共用ポリシー、使用および／または展示の条件、安全規則、取引条件などの、対応する実ＯＲｊまたは仮想オブジェクトの使用を定義する規則。
【００２５】
本発明の方法の第３の主要なステップは、そのアクセス可能性または可用性の状態がその所与の場所Ｌｉでこれを許すときおよび使用の関連規則が準拠される場合に、所与の場所Ｌｉ内での少なくとも１つのオブジェクトＯＲｊおよび／または１つのオブジェクト画像Ｉｊへのアクセスを可能にすることで構成される。
【００２６】
前述の方法を実装するために、本発明は、たとえば唯一の図に示すタイプの、アクセス可能性管理システムＳを提案する。
【００２７】
本発明によるシステムＳは、少なくとも２つの分散管理装置ＥＧＤｉおよび１つの集中管理装置ＥＧＣを備える。
【００２８】
各分散管理装置ＥＧＤｉは、場所Ｌｉに関連付けられ、通信ネットワークＲＣ（有線または無線）に結合される。
【００２９】
集中管理装置ＥＧＣもまた、通信ネットワークＲＣに結合される。それは、たとえば、ＩＭＳコアネットワークの部分を形成することができることに留意されたい。
【００３０】
それらの通信ネットワークが互いに結合（または接続）されることを条件として、分散管理装置ＥＧＤｉおよび集中管理装置ＥＧＣは異なる通信ネットワークに接続される（またはその部分を形成する）ことができることに留意することが重要である。
【００３１】
各分散管理装置ＥＧＤｉは、少なくとも１つの前述の情報に一致する、それが関連付けられている場所Ｌｉに置かれた、実ＯＲｊまたは仮想オブジェクトのデジタル画像Ｉｊの記憶をチェックする役割を負う。
【００３２】
それを行うために、それは、たとえば、モデリングモジュールＭＭによって支援されることができる管理モジュールＭＧを備える。
【００３３】
管理モジュールＭＧは、システムＳの残りの部分との、特に集中管理装置ＥＧＣとのおよび関連する場所Ｌｉにあるオブジェクト画像表示装置との、ある種のインタフェースを構成する。美術館（または小売店）などの場所Ｌｉ（ｉ＝１から３）において、表示装置は、たとえば、壁に固定されたフラット表示面または少なくとも１つのオブジェクト画像Ｉｊを表示する能力のあるコンピュータ画面、あるいは眼鏡などの拡張現実装置でもよい。
【００３４】
管理モジュールＭＧは、優先的に、関連付けられている場所Ｌｉに置かれたオブジェクトＯＲｊの画像Ｉｊに前述の情報を関連付ける役割を負う。
【００３５】
たとえばモデリングモジュールＭＭは、たとえばデジタルカメラによる画像データを供給されたコンピュータなどの関連する場所Ｌｉの通信デバイスによって提供される、デジタル画像Ｉｊを選択された形式に置く役割を負う。それは、場合によっては、仮想オブジェクトの作成を可能にし、次にそれらを選択された形式のデジタル画像の形態で記憶するように構成されることもできる。
【００３６】
オブジェクトＯＲｊのデジタル画像Ｉｊは２次元（２Ｄ）または３次元（３Ｄ）でもよいことに留意されたい。さらに、記憶されているオブジェクトＯＲｊのデジタル画像Ｉｊは、たとえばモデリングモジュールＭＭを用いて実行されることができる、画像処理によって生じるそのオブジェクトＯＲｊの２次元（２Ｄ）または３次元（３Ｄ）のモデルでもよい。換言すれば、本発明によるデジタル画像Ｉｊは、オブジェクトのデジタル写真またはそのオブジェクトの見本のどちらでもよい。
【００３７】
優先的に、また非限定的な方法で表されるように、分散管理装置ＥＧＤｉのうちの少なくともいくつか（本明細書ではＥＧＤ１からＥＧＤ３）は、関連情報と一致する、それらに関連付けられた場所Ｌｉに置かれたオブジェクトのデジタル画像Ｉｊを記憶する役割を負う第１の記憶手段ＭＳ１を備える。
【００３８】
これらの第１の記憶手段ＭＳ１は、それらがオブジェクト画像Ｉｊを表すデジタルデータを含むファイルを記憶することができることを条件として、当業者に知られた任意の形態で現れることができる。したがって、第１の記憶手段ＭＳ１は、たとえば、メモリまたはデータベースでもよい。
【００３９】
各分散管理装置ＥＧＤｉはまた、それが関連付けられた場所Ｌｉの少なくとも１つの実ＯＲｊまたは仮想オブジェクトまたはオブジェクト画像Ｉｊへのアクセスの集中管理装置ＥＧＣへの要求を生成する役割も負う。これらの要求は、たとえば、権限保持者によって局所的に提供される命令に基づく管理モジュールＭＧによって生成されることができる。
【００４０】
場所Ｌｉに関連付けられた分散管理装置ＥＧＤｉによって出される要求は、別の遠隔の場所Ｌｉ’（ｉ’≠ｉ）に置かれた実ＯＲｊまたは仮想オブジェクト、あるいは別の場所Ｌｉ’に関連付けられた分散管理装置ＥＧＤｉ’内に記憶されたオブジェクト画像Ｉｊを特に指定しなければならず、それは場所Ｌｉでアクセス可能（（場合によってはデジタル表示で）展示されることを意味する）にされることは理解されよう。この要求はまた、それにしたがってオブジェクトＯＲｊまたは画像Ｉｊが場所Ｌｉで使用されることが求められる条件の定義も含む。
【００４１】
分散管理装置ＥＧＤｉが要求を生成することができるように、それらは、オブジェクトＯＲｊおよびオブジェクト画像Ｉｊならびにそれらのそれぞれの識別子のリストをもたなければならない。このリストは、たとえば、集中管理装置ＥＧＣに記憶される。このリストは要求に応じて分散管理装置ＥＧＤｉによって取得されることができる、あるいは定期的にまたはオブジェクトＯＲｊもしくは少なくとも１つのオブジェクト画像Ｉｊが追加もしくは除去されるのに続いてリストが更新されるたびに、分散管理装置ＥＧＤｉに自動的に送信されることができる。
【００４２】
非限定的な方法で図示するように、分散管理装置ＥＧＤｉ（本明細書ではＥＧＤ１からＥＧＤ４）のうちの少なくともいくつかは、関連付けられていない場所Ｌｉ’に置かれた、それに対するアクセス許可（したがって、局所分散）を集中管理装置ＥＧＣから取得した、実ＯＲｊまたは仮想オブジェクトのデジタル画像Ｉｊを記憶する役割を負う第２の記憶手段ＭＳ２を備えることができることに留意されたい。
【００４３】
これらの第２の記憶手段ＭＳ２は、それらがオブジェクト画像Ｉｊを表すデジタルデータを含むファイルを記憶することができることを条件として、当業者に知られた任意の形態で現れることができる。結果として、第２の記憶手段ＭＳ２は、たとえば、メモリまたはデータベースでもよい。
【００４４】
分散管理装置ＥＧＤｉ（ｉ＝１から３）の第１のＭＳ１および第２のＭＳ２記憶手段は、場合によっては、同一記憶手段の２つの部分でもよいことに留意されたい。
【００４５】
また、非限定的な方法で図示するように、分散管理装置のうちの少なくとも１つ（本明細書ではＥＧＤ４）は、それがセカンドライフなどの少なくとも１つの仮想世界ＭＶ１、ＭＶ２に関連付けられているために、オブジェクト画像Ｉｊのアクセス可能性の管理専用となりうることにも留意されたい。リマインダとして、この分散管理装置ＥＧＤ４は、たとえば、ウェブサイトＬ４に関連付けられることができる。
【００４６】
それは、たとえば、その管理モジュールＭＧに加えて、前記に関連付けられていない場所Ｌｉ’（ｉ’≠４）に置かれた、それが集中管理装置ＥＧＣから、その関連ウェブサイトのクライアントのうちの少なくともいくつかに対して、アクセス許可、したがって使用許可をそれについて取得した、実ＯＲｊまたは仮想オブジェクトのすべてのデジタル画像Ｉｊをそこに記憶する第２の記憶手段ＭＳ２を備えることができる。
【００４７】
図示するように、この分散管理装置ＥＧＤ４は、場合によっては、１つまたは複数の仮想世界ＭＶ１およびＭＶ２との相互運用性を確保する役割を負う適合モジュールＭＡも備えることができる。本明細書において、相互運用性は、最も一般的な意味で解釈されるべきである。具体的には、それは、オブジェクト画像Ｉｊの形式、異なる世界（実または仮想）の間のアクセスおよび双方向性、ならびに同期を指す。この相互運用性は、特に、所定の規則に基づく適合モジュールＭＡによって提供されることができる。
【００４８】
各分散管理装置ＥＧＤｉ、特にその管理モジュールＭＧならびにそれがもつことができる任意の記憶手段ＭＳ１および／またはＭＳ２および／または適合モジュールＭＡは、電子回路、ソフトウェア（もしくはコンピュータ）モジュール、または電子回路とソフトウェアモジュールの組合せの形態で構成されることができることに留意されたい。
【００４９】
集中管理装置ＥＧＣは、特に、分散管理装置ＥＧＤｉ（ｉ＝１から４）から、その装置（ＥＤＧｉ）が関連付けられている場所Ｌｉ内での、別の遠隔の場所Ｌｉ’（ｉ’≠ｉ）に置かれている実ＯＲｊもしくは仮想オブジェクトまたは別の場所Ｌｉ’に関連付けられた分散管理装置ＥＧＤｉ’に記憶されたオブジェクト画像Ｉｊへのアクセスの要求をそれが受信するたびに、介入する。
【００５０】
この介入は、まず受信された要求で指定されたオブジェクトＯＲｊにまたはオブジェクト画像Ｉｊに関連付けられた情報にアクセスすることと、次にこの情報を、特にそれらを受信要求に定義された使用の条件と比較することによって、分析することから構成される。そのオブジェクトＯＲｊまたはその指定されたオブジェクト画像Ｉｊのアクセス可能性または可用性の状態がこれを許し、受信要求に定義された使用の条件がそれに関連付けられた使用規則に準拠する場合、次に集中管理装置ＥＧＣは、場所Ｌｉ（受信要求で同様に指定される）内のそのオブジェクトＯＲｊまたはオブジェクト画像Ｉｊへのアクセスを許す。
【００５１】
唯一の図に非限定的な方法で示すように、集中管理装置ＥＧＣは、受信要求を処理する役割、より具体的には、少なくともその要求で指定されたオブジェクトＯＲｊおよびオブジェクト画像Ｉｊに関連付けられた情報にアクセスし、その要求を送信した分散管理装置ＥＧＤｉにアクセス許可または禁止メッセージを送信する役割を負う、管理モジュールＭＧ’を備えることができる。
【００５２】
アクセス許可メッセージは、場合によっては、使用の条件の定義（場合によっては要求されたものよりも広いまたはより限定された）を含むことができることに留意されたい。
【００５３】
管理モジュールＭＧ’は、システムＳの残りの部分との、特に分散管理装置ＥＧＤｉとの、ある種のインタフェースを構成する。
【００５４】
優先的に、集中管理装置ＥＧＣは、様々な場所Ｌｉに関連付けられた分散管理装置ＥＧＤｉ内に記憶されたオブジェクト画像Ｉｊに関連付けられたすべての情報を記憶する。しかし、一変形形態（現在は応答時間および／またはトラフィックの理由で好ましくない）では、そのアクセス許可または禁止の決定を行うために、分散管理装置ＥＧＤｉ内（たとえば、それらのそれぞれの第１の記憶手段ＭＳ１内）に記憶された情報にアクセスする役割をその管理モジュールＭＧ’が負うことが考えられる。
【００５５】
集中情報記憶が、単一のエレメント内で、または、非限定的な方法で図示するように、少なくとも２つのエレメントＳ１からＳ３内で行われることができる。図示した例では、集中管理装置ＥＧＣは、オブジェクト画像Ｉｊに関連付けられた少なくとも２つの記憶情報向けの、第１のＳ１、第２のＳ２および第３のＳ３エレメント、たとえばサーバを備える。分散管理装置ＥＧＤｉ内に記憶されたオブジェクト画像Ｉｊに関連付けられた情報は、分散管理装置ＥＧＤｉによって集中管理装置ＥＧＣに送信されることを理解されたい。
【００５６】
第１のサーバＳ１は、たとえば、オブジェクト画像Ｉｊに関連付けられた、それらのそれぞれの可用性の状態および対応する実ＯＲｊまたは仮想オブジェクトのそれぞれのアクセス可能性の状態を表す、情報を記憶する役割を負う。それは、要求の受信に続いて、その要求内で指定された各オブジェクトＯＲｊまたは画像Ｉｊの状態をそれに伝えるために、管理モジュールＭＧ’による問合せを受ける。それは何らかの形で、存在サーバ（または状態サーバ）を構成する。
【００５７】
第２のサーバＳ２は、たとえば、オブジェクト画像Ｉｊに関連付けられた、それらをそれぞれ記憶する分散管理装置ＥＧＤｉおよび対応する実ＯＲｊまたは仮想オブジェクトがそれぞれ置かれている場所Ｌｉを表す、情報を記憶する役割を負う。それは、要求の受信に続いて、その要求内で指定される各オブジェクトＯＲｊがある各場所Ｌｉの識別子またはその要求内で指定された各画像Ｉｊを記憶する各分散管理装置ＥＧＤｉの識別子をそれに伝えるために、管理モジュールＭＧ’による問合せを受ける。それは何らかの形で、場所サーバを構成する。
【００５８】
第３のサーバＳ３は、たとえば、オブジェクト画像Ｉｊに関連付けられた、それらのそれぞれの使用を定義する規則および対応する実ＯＲｊまたは仮想オブジェクトのそれぞれの使用を定義する規則を表す、情報を記憶する役割を負う。それは、要求の受信に続いて、その要求内で指定されたオブジェクトＯＲｊまたは画像Ｉｊの使用規則をそれに伝えるために、あるいはその要求内に定義された使用の条件がその要求内で指定された各オブジェクトＯＲｊまたは画像Ｉｊの使用規則に準拠するかどうかをそれに報告するために、管理モジュールＭＧ’による問合せを受ける（それが比較を行うように構成されている場合）。それは何らかの形で、権利共有および管理（あるいは交渉）サーバを構成する。
【００５９】
サーバＳ１からＳ３はオブジェクト画像Ｉｊに関連付けられた情報を記憶するが、これらのオブジェクト画像Ｉｊを定義するデータを含むファイルは記憶しないことに留意することが重要である。これらの画像ファイルは、優先的に、対応するオブジェクトＯＲｊが記憶されている場所Ｌｉに関連付けられた分散管理装置ＥＧＤｉに記憶される。
【００６０】
管理モジュールＭＧ’は、それらに関連付けられた場所Ｌｉとは異なる場所Ｌｉ’に置かれた新しい実ＯＲｊまたは仮想オブジェクトの存在あるいは別の分散管理装置ＥＧＤｉ内の新しいオブジェクト画像Ｉｊの記憶を検出したときには必ず、それらに通知するように意図されたメッセージを、分散管理装置ＥＧＤｉのうちの少なくともいくつかに対して、生成する役割を場合によっては負うことができることにも留意されたい。
【００６１】
アクセス許可がオブジェクト画像Ｉｊに（または仮想オブジェクトに）対して与えられる場合、集中管理装置ＥＧＣは、それを記憶する分散管理装置ＥＧＤｉからそのオブジェクト画像のファイルＩｊのコピーを自ら抽出し、次にそれを要求した分散管理装置ＥＧＤｉ’にそのファイルを送信する、あるいはそのオブジェクト画像Ｉｊのファイルを記憶する分散管理装置ＥＧＤｉにおよびそのファイルを要求した分散管理装置ＥＧＤｉ’に、それら自身でそのファイルを転送することができるように、それぞれの座標を提供することができる。
【００６２】
実オブジェクトＯＲｊについて貸与許可が認められた場合、集中管理装置ＥＧＣは、たとえば、それぞれの管理者が彼ら自身の間で場所Ｌｉから他方の場所Ｌｉ’（それを要求した分散管理装置ＥＧＤｉ’に関連付けられた）へのオブジェクトＯＲｊの転送を編成することができるように、そのオブジェクトＯＲｊが置かれている場所ＬｉにおよびそのオブジェクトＯＲｊを要求した分散管理装置ＥＧＤｉ’に関連付けられた分散管理装置ＥＧＤｉにそれらのそれぞれの座標を提供することができる。
【００６３】
集中管理装置ＥＧＣ、特にその管理モジュールＭＧ’および任意のサーバＳ１からＳ３は、電子回路、ソフトウェア（もしくはコンピュータ）モジュール、または電子回路とソフトウェアモジュールの組合せの形態で構成されることができることにも留意されたい。
【００６４】
唯一の図を参照して、本発明のシステムＳの例示的な使用をここで説明する。
【００６５】
この例では、以下を仮定する：
−  第１の美術館Ｌ１は、通常は、２つの絵画ＯＲ１およびＯＲ３を備え、したがって、関連分散管理装置ＥＧＤ１はこれらの２つの絵画ＯＲ１およびＯＲ３の画像Ｉ１およびＩ３を記憶する、
−  第２の美術館Ｌ２は、通常は、１つの絵画ＯＲ２を備え、したがって、関連分散管理装置ＥＧＤ２は絵画ＯＲ２の画像Ｉ２を記憶する、
−  第３の美術館Ｌ３は、通常は、１つの絵画ＯＲ４を備え、したがって、関連分散管理装置ＥＧＤ３は絵画ＯＲ４の画像Ｉ３を記憶する。
【００６６】
第２の美術館（第２の場所）Ｌ２の館長が絵画ＯＲ１からＯＲ４を含む展示を開催したいとき、彼は、分散管理装置ＥＧＤ２を用いて、集中管理装置ＥＧＣに、所与の使用条件にしたがって絵画ＯＲ１、ＯＲ３およびＯＲ４を一時的に貸与するよう要求を送信する。
【００６７】
この要求が受信されるとき、集中管理装置ＥＧＣは、それぞれの使用規則を前提として、その要求で指定された使用条件の下で絵画ＯＲ１、ＯＲ３およびＯＲ４が貸与されることができるかどうかを判定する。本明細書では、絵画ＯＲ３は第２の美術館Ｌ２に貸与されることができ、絵画ＯＲ１の画像Ｉ１は第２の美術館Ｌ２によってウォールディスプレーに使用されることができ、絵画ＯＲ４の画像Ｉ４は第３の美術館Ｌ３による絵画ＯＲ２の画像Ｉ２の使用と引き換えに第２の美術館Ｌ２によってウォールディスプレーに使用されることができると仮定する。
【００６８】
最終的に、唯一の図に示された状況が実現される。さらに具体的には：
−  第１の美術館Ｌ１はその絵画ＯＲ３および絵画ＯＲ１の画像Ｉ１を第２の美術館Ｌ２に貸し出していて、したがって今は絵画ＯＲ１およびウォールスクリーンに表示している絵画ＯＲ３の画像Ｉ３のみを備える、
−  第２の美術館Ｌ２は、第１の美術館Ｌ１から絵画ＯＲ３および絵画ＯＲ１の画像Ｉ１のならびに第３の美術館Ｌ３から絵画ＯＲ４の画像Ｉ４の貸し出しを受けている。したがって、第２の美術館Ｌ２は、その壁に絵画ＯＲ２およびＯＲ３を展示し、ウォールスクリーンに絵画ＯＲ１およびＯＲ４の画像Ｉ１およびＩ４を表示する、
−  第３の美術館Ｌ３は、絵画ＯＲ２の画像Ｉ２のこれらと引き換えに、第２の美術館Ｌ２に絵画ＯＲ４の画像Ｉ４を貸し出している。したがって、第３の美術館Ｌ３は、絵画ＯＲ４およびウォールスクリーンに表示した絵画ＯＲ２の画像Ｉ２を備える。
【００６９】
本発明は、一例としてのみ与えられる、前述のアクセス可能性管理のシステムおよび方法ならびに集中および分散管理装置の実施形態に限定されるのではなく、むしろ、以下の特許請求の範囲内で当業者が想定することができるすべての変形形態を包含する。
【図１】
2011519081.tif 000003
【国際調査報告】
2011519081.tif 000004
2011519081.tif 000005
2011519081.tif 000006
2011519081.tif 000007
2011519081.tif 000008
2011519081.tif 000009